【手続補正書】
【提出日】平成17年10月17日(2005.10.17)
【手続補正１】
【補正対象書類名】特許請求の範囲
【補正対象項目名】全文
【補正方法】変更
【補正の内容】
【特許請求の範囲】
【請求項１】
（ａ）図８ (配列番号：８)に示されるアミノ酸配列をコードするヌクレオチド配列；
（ｂ）関連するシグナルペプチドを欠いており、図８ (配列番号：８)に示されるアミノ酸配列をコードするヌクレオチド配列；
（ｃ）図７ (配列番号：７)に示されるヌクレオチド配列；
（ｄ）図７ (配列番号：７)に示されるヌクレオチド配列の完全長コード化配列；
（ｅ）ＡＴＣＣ登録番号２０９３６７、又は登録番号ＮＭ＿０２０９９７の下に利用可能なｃＤＮＡの完全長コード化配列；或いは
（ｆ）（ａ）、（ｂ）、（ｃ）、（ｄ）、又は（ｅ）の相補鎖
と少なくとも８０％の核酸配列同一性を有する単離された核酸。
【請求項２】
（ａ）図８ (配列番号：８)に示されるアミノ酸配列をコードするヌクレオチド配列；
（ｂ）関連するシグナルペプチドを欠いており、図８ (配列番号：８)に示されるアミノ酸配列をコードするヌクレオチド配列；
（ｃ）図７ (配列番号：７)に示されるヌクレオチド配列；
（ｄ）図７ (配列番号：７)に示されるヌクレオチド配列の完全長コード化配列；
（ｅ）ＡＴＣＣ登録番号２０９３６７、又は登録番号ＮＭ＿０２０９９７の下に利用可能なｃＤＮＡの完全長コード化配列；或いは
（ｆ）（ａ）、（ｂ）、（ｃ）、（ｄ）、又は（ｅ）の相補鎖
を含む単離された核酸。
【請求項３】
（ａ）図８ (配列番号：８)に示されるアミノ酸配列をコードするヌクレオチド配列；
（ｂ）関連するシグナルペプチドを欠いており、図８ (配列番号：８)に示されるアミノ酸配列をコードするヌクレオチド配列；
（ｃ）図７ (配列番号：７)に示されるヌクレオチド配列；
（ｄ）図７ (配列番号：７)に示されるヌクレオチド配列の完全長コード化配列；
（ｅ）ＡＴＣＣ登録番号２０９３６７、又は登録番号ＮＭ＿０２０９９７の下に利用可能なｃＤＮＡの完全長コード化配列；或いは
（ｆ）（ａ）、（ｂ）、（ｃ）、（ｄ）、又は（ｅ）の相補鎖
にハイブリダイズする単離された核酸。
【請求項４】
ハイブリダイゼーションがストリンジェントな条件の下で起こる請求項３に記載の核酸。
【請求項５】
長さが少なくとも約５ヌクレオチドである請求項３に記載の核酸。
【請求項６】
請求項１に記載の核酸を含む発現ベクター。
【請求項７】
前記核酸が、ベクターで形質転換された宿主細胞により認識されるコントロール配列に作用可能に結合する請求項６に記載の発現ベクター。
【請求項８】
請求項７に記載の発現ベクターを含む宿主細胞。
【請求項９】
ＣＨＯ細胞、大腸菌、又は酵母細胞である請求項８に記載の宿主細胞。
【請求項１０】
請求項８に記載の宿主細胞を前記ポリペプチドの発現に適する条件下で培養すること、及び細胞培養物から前記ポリペプチドを回収することを含むポリペプチド生産法。
【請求項１１】
（ａ）図８ (配列番号：８)に示されるアミノ酸配列；
（ｂ）関連するシグナルペプチドを欠いた、図８ (配列番号：８)に示されるアミノ酸配列；
（ｃ）図７ (配列番号：７)に示されるヌクレオチド配列によりコードされるアミノ酸配列；
（ｄ）図７ (配列番号：７)に示されるヌクレオチド配列の完全長コード化配列によりコードされるアミノ酸；或いは
（ｅ）ＡＴＣＣ登録番号２０９３６７、又は登録番号ＮＭ＿０２０９９７の下に利用可能なｃＤＮＡの完全長コード化配列によりコードされるアミノ酸配列
と少なくとも８０％の核酸配列同一性を有する単離されたポリペプチド。
【請求項１２】
（ａ）図８ (配列番号：８)に示されるアミノ酸配列；
（ｂ）関連するシグナルペプチドを欠いた、図８ (配列番号：８)に示されるアミノ酸配列；
（ｃ）図７ (配列番号：７)に示されるヌクレオチド配列によりコードされるアミノ酸配列；
（ｄ）図７ (配列番号：７)に示されるヌクレオチド配列の完全長コード化配列によりコードされるアミノ酸；或いは
（ｅ）ＡＴＣＣ登録番号２０９３６７、又は登録番号ＮＭ＿０２０９９７の下に利用可能なｃＤＮＡの完全長コード化配列によりコードされるアミノ酸配列
を有する単離されたポリペプチド。
【請求項１３】
請求項１１に記載のポリペプチドが異種ポリペプチドに融合されてなるキメラポリペプチド。
【請求項１４】
前記異種ポリペプチドがイムノグロブリンのＦｃ領域又はエピトープタグ配列である請求項１３に記載のキメラポリペプチド。
【請求項１５】
（ａ）図８ (配列番号：８)に示されるアミノ酸配列；
（ｂ）関連するシグナルペプチドを欠いた、図８ (配列番号：８)に示されるアミノ酸配列；
（ｃ）図７ (配列番号：７)に示されるヌクレオチド配列によりコードされるアミノ酸配列；
（ｄ）図７ (配列番号：７)に示されるヌクレオチド配列の完全長コード化配列によりコード化されるアミノ酸配列；或いは
（ｅ）ＡＴＣＣ登録番号２０９３６７、又は登録番号ＮＭ＿０２０９９７の下に利用可能なｃＤＮＡの完全長コード化配列によりコードされるアミノ酸配列
と少なくとも８０％のアミノ酸配列同一性を有するポリペプチドに結合する単離された抗体。
【請求項１６】
（ａ）図８ (配列番号：８)に示されるアミノ酸配列；
（ｂ）関連するシグナルペプチドを欠いた、図８ (配列番号：８)に示されるアミノ酸配列；
（ｃ）図７ (配列番号：７)に示されるヌクレオチド配列によりコードされるアミノ酸配列；
（ｄ）図７ (配列番号：７)に示されるヌクレオチド配列の完全長コード化配列によりコード化されるアミノ酸配列；或いは
（ｅ）ＡＴＣＣ登録番号２０９３６７、又は登録番号ＮＭ＿０２０９９７の下に利用可能なｃＤＮＡの完全長コード化配列によりコードされるアミノ酸配列
を含むポリペプチドに結合する請求項１５に記載の抗体。
【請求項１７】
モノクローナル抗体である請求項１５に記載の抗体。
【請求項１８】
抗体断片である請求項１５に記載の抗体。
【請求項１９】
キメラ抗体又はヒト化抗体である請求項１５に記載の抗体。
【請求項２０】
成長阻害剤に結合する請求項１５に記載の抗体。
【請求項２１】
細胞障害剤に結合する請求項１５に記載の抗体。
【請求項２２】
細胞障害剤が、毒素、抗生物質、放射性同位体及び核酸分解酵素からなる群から選択される請求項２１に記載の抗体。
【請求項２３】
細胞障害剤が毒素である請求項２１に記載の抗体。
【請求項２４】
毒素がメイタンシノイド及びカリケアマイシンからなる群から選択される請求項２３に記載の抗体。
【請求項２５】
毒素がメイタンシノイドである請求項２３に記載の抗体。
【請求項２６】
細菌内で生産される請求項１５に記載の抗体。
【請求項２７】
ＣＨＯ細胞内で生産される請求項１５に記載の抗体。
【請求項２８】
結合先の細胞に死滅を誘発する請求項１５に記載の抗体。
【請求項２９】
検出可能に標識される請求項１５に記載の抗体。
【請求項３０】
請求項１５に記載の抗体をコードするヌクレオチド配列を有する単離された核酸。
【請求項３１】
ベクターによって形質転換された宿主細胞により認識されるコントロール配列に作用可能に結合する請求項３０に記載の核酸を有する発現ベクター。
【請求項３２】
請求項３１に記載の発現ベクターを有する宿主細胞。
【請求項３３】
ＣＨＯ細胞、大腸菌又は酵母細胞である請求項３２に記載の宿主細胞。
【請求項３４】
請求項３２に記載の宿主細胞を、前記抗体の発現に適した条件下で培養すること、及び細胞培地から前記抗体を回収することを含む抗体生産方法。
【請求項３５】
（ａ）請求項１１に記載のポリペプチド；
（ｂ）請求項１３に記載のキメラポリペプチド；又は
（ｃ）請求項１５に記載の抗体
を担体と組み合わせて含む医薬組成物。
【請求項３６】
前記担体が製薬的に許容可能な担体である請求項３５に記載の組成物。
【請求項３７】
（ａ）容器；及び
（ｂ）前記容器に収容された請求項３５に記載の組成物
を含む製造品。
【請求項３８】
癌の薬物治療又は診断的検出のための前記組成物の使用について述べた、前記容器の貼付ラベル、又は前記容器に含まれるパッケージ挿入物をさらに含む請求項３７に記載の製造品。
【請求項３９】
（ａ）図８ (配列番号：８)に示されるアミノ酸配列；又は
（ｂ）図７ (配列番号：７)に示されるヌクレオチド配列を含んでなるヌクレオチド配列によってコードされるアミノ酸配列；
と少なくとも８０％のアミノ酸配列同一性を有するポリペプチドを発現する細胞を有するＩＢＤを持つ哺乳動物の治療のための医薬であって、前記ポリペプチドに結合する抗体の治療的有効量を含んでなり、用いることによって前記哺乳動物を有効に治療するための医薬。
【請求項４０】
前記抗体がモノクローナル抗体である請求項３９に記載の医薬。
【請求項４１】
前記抗体が抗体断片である請求項３９に記載の医薬。
【請求項４２】
前記抗体がキメラ抗体又はヒト化抗体である請求項３９に記載の医薬。
【請求項４３】
前記抗体が成長阻害剤に結合する請求項３９に記載の医薬。
【請求項４４】
前記抗体が細胞障害剤に結合する請求項３９に記載の医薬。
【請求項４５】
細胞障害剤が、毒素、抗生物質、放射性同位体及び核酸分解酵素からなる群から選択される請求項４４に記載の医薬。
【請求項４６】
細胞障害剤が毒素である請求項４４に記載の医薬。
【請求項４７】
毒素がメイタンシノイド及びカリケアマイシンからなる群から選択される請求項４６に記載の医薬。
【請求項４８】
毒素がメイタンシノイドである請求項４６に記載の医薬。
【請求項４９】
抗体が細菌内で生産される請求項３９に記載の医薬。
【請求項５０】
抗体がＣＨＯ細胞内で生産される請求項３９に記載の医薬。
【請求項５１】
前記ＩＢＤにさらに放射線治療又は化学療法を施す請求項３９に記載の医薬。
【請求項５２】
前記ＩＢＤが潰瘍性大腸炎細胞及びクローン病細胞からなる群から選択される請求項３９に記載の医薬。
【請求項５３】
（ａ）図８ (配列番号：８)に示されるアミノ酸配列；又は
（ｂ）図７ (配列番号：７)に示されるヌクレオチド配列を含んでなるヌクレオチド配列によってコードされるアミノ酸配列；
と少なくとも８０％のアミノ酸配列同一性を有するポリペプチドを有する疑いのある試料中において、前記ポリペプチドの存在を検出する方法であって、前記ポリペプチドに結合する抗体に前記試料を接触させること、及び前記試料中の前記ポリペプチドに対する前記抗体の結合を判断することを含む方法。
【請求項５４】
前記試料が前記ポリペプチドを発現する疑いのある細胞を含む請求項５３に記載の方法。
【請求項５５】
前記細胞がＩＢＤ細胞である請求項５４に記載の方法。
【請求項５６】
前記抗体を検出可能に標識する請求項５３に記載の方法。
【請求項５７】
哺乳動物におけるＩＢＤの存在を診断する方法であって、前記哺乳動物から採取した組織細胞の試験試料中と、同一組織起源の既知の正常細胞の対照試料中とにおいて、
（ａ）図８ (配列番号：８)に示されるアミノ酸配列；又は
（ｂ）図７ (配列番号：７)に示されるヌクレオチド配列を含んでなるヌクレオチド配列によってコードされるアミノ酸配列；
と少なくとも８０％のアミノ酸配列同一性を有するポリペプチドをコードする遺伝子の発現レベルを検出することを含み、対照試料との比較において試験試料中の前記ポリペプチドの発現レベルの高低が、試験試料を採取した哺乳動物におけるＩＢＤの存在を示す方法。
【請求項５８】
前記ポリペプチドをコードする遺伝子の発現レベルを検出する工程が、インサイツハイブリダイゼーション又はＲＴ−ＰＣＲ分析におけるオリゴヌクレオチドの使用を含む請求項５７に記載の方法。
【請求項５９】
前記ポリペプチドをコードする遺伝子の発現レベルを検出する工程が、免疫組織化学法における抗体の使用を含む請求項５７に記載の方法。
【請求項６０】
哺乳動物におけるＩＢＤの存在の診断方法であって、
（ａ）図８ (配列番号：８)に示されるアミノ酸配列；又は
（ｂ）図７ (配列番号：７)に示されるヌクレオチド配列を含んでなるヌクレオチド配列によってコードされるアミノ酸配列；
と少なくとも８０％のアミノ酸配列同一性を有するポリペプチドに結合する抗体に、前記哺乳動物から採取した組織細胞の試験試料を接触させることと、試験試料中における前記抗体と前記ポリペプチドとの複合体形成を検出することとを含み、複合体の形成が前記哺乳動物におけるＩＢＤの存在を示す方法。
【請求項６１】
前記抗体を検出可能に標識する請求項６０に記載の方法。
【請求項６２】
前記組織細胞の試験試料が、ＩＢＤを有する疑いのある個体から採取される請求項６０に記載の方法。
【請求項６３】
ＩＢＤを有する哺乳動物の治療のための医薬であって、
（ａ）図１６（配列番号：１６）、図１８（配列番号：１８）、又は図１０６（配列番号１０６）中に示されるアミノ酸配列；又は
（ｂ）図１５（配列番号：１５）、図１７（配列番号：１７）、又は図１０５（配列番号１０５）中に示されるヌクレオチド配列を含んでなるヌクレオチド配列によりコードされるアミノ酸配列
と少なくとも８０％のアミノ酸配列同一性を有するポリペプチドの治療的有効量を含んでなり、用いることによって前記哺乳動物を有効に治療するための医薬。
【請求項６４】
前記ＩＢＤがクローン病である請求項６３に記載の方法。
【請求項６５】
哺乳動物におけるＩＢＤの存在を診断する方法であって、前記哺乳動物から採取した組織細胞の試験試料中と、同一組織起源の既知の正常細胞の対照試料中とにおいて、
（ａ）図１６（配列番号：１６）、図１８（配列番号：１８）、又は図１０６（配列番号１０６）中に示されるアミノ酸配列；又は
（ｂ）図１５（配列番号：１５）、図１７（配列番号：１７）、又は図１０５（配列番号１０５）中に示されるヌクレオチド配列を含んでなるヌクレオチド配列によりコードされるアミノ酸配列
と少なくとも８０％のアミノ酸配列同一性を有するポリペプチドをコードする遺伝子の発現レベルを検出することを含み、対照試料との比較において試験試料中の前記ポリペプチドの発現レベルの高低が、試験試料を採取した哺乳動物におけるＩＢＤの存在を示す方法。
【請求項６６】
前記ポリペプチドをコードする遺伝子の発現レベルを検出する工程が、インサイツハイブリダイゼーション又はＲＴ−ＰＣＲ分析におけるオリゴヌクレオチドの使用を含む請求項６５に記載の方法。
【請求項６７】
前記ポリペプチドをコードする遺伝子の発現レベルを検出する工程が、免疫組織化学法における抗体の使用を含む請求項６５に記載の方法。
【請求項６８】
ＩＢＤがクローン病である請求項６５に記載の方法。
【請求項６９】
（ａ）図２ (配列番号：２), 図４ (配列番号：４), 図６ (配列番号：６), 図８ (配列番号：８), 図１０ (配列番号：１０), 図１２ (配列番号：１２), 図１４ (配列番号：１４), 図１６ (配列番号：１６), 図１８ (配列番号：１８), 図２０ (配列番号：２０), 図２２ (配列番号：２２), 図２４ (配列番号：２４), 図２６ (配列番号：２６), 図２８ (配列番号：２８), 図３０ (配列番号：３０), 図３２ (配列番号：３２), 図３４ (配列番号：３４), 図３６ (配列番号：３６), 図３８ (配列番号：３８), 図４０ (配列番号：４０), 図４２ (配列番号：４２), 図４４ (配列番号：４４), 図４６ (配列番号：４６), 図４８ (配列番号：４８), 図５０ (配列番号：５０), 図５２ (配列番号：５２), 図５４ (配列番号：５４), 図５６ (配列番号：５６), 図５８ (配列番号：５８), 図６０ (配列番号：６０), 図６２ (配列番号：６２), 図６４ (配列番号：６４), 図６６ (配列番号：６６), 図６８ (配列番号：６８), 図７０ (配列番号：７０), 図７２ (配列番号：７２), 図７４ (配列番号：７４), 図７６ (配列番号：７６), 図７８ (配列番号：７８), 図８０ (配列番号：８０),  図８２ (配列番号：８２), 図８４ (配列番号：８４), 図８６ (配列番号：８６), 図８８ (配列番号：８８), 図９０ (配列番号：９０), 図９２ (配列番号：９２), 図９４ (配列番号：９４), 図９６ (配列番号：９６), 図９８ (配列番号：９８), 図１００ (配列番号：１００), 図１０２ (配列番号：１０２), 図１０４ (配列番号：１０４), 図１０６ (配列番号：１０６), 図１０８ (配列番号：１０８), 図１１０ (配列番号：１１０), 図１１２ (配列番号：１１２), 図１１４ (配列番号：１１４), 図１１６ (配列番号：１１６), 図１１８ (配列番号：１１８), 図１２０ (配列番号：１２０), 図１２２ (配列番号：１２２), 図１２４ (配列番号：１２４), 図１２６ (配列番号：１２６), 図１２８ (配列番号：１２８), 図１３０ (配列番号：１３０), 図１３２ (配列番号：１３２), 図１３４ (配列番号：１３４), 図１３６ (配列番号：１３６), 図１３８ (配列番号：１３８), 図１４０ (配列番号：１４０), 図１４２ (配列番号：１４２), 図１４４ (配列番号：１４４), 図１４６ (配列番号：１４６), 図１４８ (配列番号：１４８), 図１５０ (配列番号：１５０), 図１５２ (配列番号：１５２), 図１５４ (配列番号：１５４), 図１５６ (配列番号：１５６), 図１５８ (配列番号：１５８), 図１６０ (配列番号：１６０),又は 図１６２ (配列番号：１６２)中に示されるアミノ酸配列をコードするヌクレオチド配列；
（ｂ）関連するシグナルペプチドを欠いており、図２ (配列番号：２), 図４ (配列番号：４), 図６ (配列番号：６), 図８ (配列番号：８), 図１０ (配列番号：１０), 図１２ (配列番号：１２), 図１４ (配列番号：１４), 図１６ (配列番号：１６), 図１８ (配列番号：１８), 図２０ (配列番号：２０), 図２２ (配列番号：２２), 図２４ (配列番号：２４), 図２６ (配列番号：２６), 図２８ (配列番号：２８), 図３０ (配列番号：３０), 図３２ (配列番号：３２), 図３４ (配列番号：３４), 図３６ (配列番号：３６), 図３８ (配列番号：３８), 図４０ (配列番号：４０), 図４２ (配列番号：４２), 図４４ (配列番号：４４), 図４６ (配列番号：４６), 図４８ (配列番号：４８), 図５０ (配列番号：５０), 図５２ (配列番号：５２), 図５４ (配列番号：５４), 図５６ (配列番号：５６), 図５８ (配列番号：５８), 図６０ (配列番号：６０), 図６２ (配列番号：６２), 図６４ (配列番号：６４), 図６６ (配列番号：６６), 図６８ (配列番号：６８), 図７０ (配列番号：７０), 図７２ (配列番号：７２), 図７４ (配列番号：７４), 図７６ (配列番号：７６), 図７８ (配列番号：７８), 図８０ (配列番号：８０),  図８２ (配列番号：８２), 図８４ (配列番号：８４), 図８６ (配列番号：８６), 図８８ (配列番号：８８), 図９０ (配列番号：９０), 図９２ (配列番号：９２), 図９４ (配列番号：９４), 図９６ (配列番号：９６), 図９８ (配列番号：９８), 図１００ (配列番号：１００), 図１０２ (配列番号：１０２), 図１０４ (配列番号：１０４), 図１０６ (配列番号：１０６), 図１０８ (配列番号：１０８), 図１１０ (配列番号：１１０), 図１１２ (配列番号：１１２), 図１１４ (配列番号：１１４), 図１１６ (配列番号：１１６), 図１１８ (配列番号：１１８), 図１２０ (配列番号：１２０), 図１２２ (配列番号：１２２), 図１２４ (配列番号：１２４), 図１２６ (配列番号：１２６), 図１２８ (配列番号：１２８), 図１３０ (配列番号：１３０), 図１３２ (配列番号：１３２), 図１３４ (配列番号：１３４), 図１３６ (配列番号：１３６), 図１３８ (配列番号：１３８), 図１４０ (配列番号：１４０), 図１４２ (配列番号：１４２), 図１４４ (配列番号：１４４), 図１４６ (配列番号：１４６), 図１４８ (配列番号：１４８), 図１５０ (配列番号：１５０), 図１５２ (配列番号：１５２), 図１５４ (配列番号：１５４), 図１５６ (配列番号：１５６), 図１５８ (配列番号：１５８), 図１６０ (配列番号：１６０),又は 図１６２ (配列番号：１６２)中に示されるアミノ酸配列をコードするヌクレオチド配列；
（ｃ）関連するシグナルペプチドを有し、図２ (配列番号：２), 図４ (配列番号：４), 図６ (配列番号：６), 図８ (配列番号：８), 図１０ (配列番号：１０), 図１２ (配列番号：１２), 図１４ (配列番号：１４), 図１６ (配列番号：１６), 図１８ (配列番号：１８), 図２０ (配列番号：２０), 図２２ (配列番号：２２), 図２４ (配列番号：２４), 図２６ (配列番号：２６), 図２８ (配列番号：２８), 図３０ (配列番号：３０), 図３２ (配列番号：３２), 図３４ (配列番号：３４), 図３６ (配列番号：３６), 図３８ (配列番号：３８), 図４０ (配列番号：４０), 図４２ (配列番号：４２), 図４４ (配列番号：４４), 図４６ (配列番号：４６), 図４８ (配列番号：４８), 図５０ (配列番号：５０), 図５２ (配列番号：５２), 図５４ (配列番号：５４), 図５６ (配列番号：５６), 図５８ (配列番号：５８), 図６０ (配列番号：６０), 図６２ (配列番号：６２), 図６４ (配列番号：６４), 図６６ (配列番号：６６), 図６８ (配列番号：６８), 図７０ (配列番号：７０), 図７２ (配列番号：７２), 図７４ (配列番号：７４), 図７６ (配列番号：７６), 図７８ (配列番号：７８), 図８０ (配列番号：８０),  図８２ (配列番号：８２), 図８４ (配列番号：８４), 図８６ (配列番号：８６), 図８８ (配列番号：８８), 図９０ (配列番号：９０), 図９２ (配列番号：９２), 図９４ (配列番号：９４), 図９６ (配列番号：９６), 図９８ (配列番号：９８), 図１００ (配列番号：１００), 図１０２ (配列番号：１０２), 図１０４ (配列番号：１０４), 図１０６ (配列番号：１０６), 図１０８ (配列番号：１０８), 図１１０ (配列番号：１１０), 図１１２ (配列番号：１１２), 図１１４ (配列番号：１１４), 図１１６ (配列番号：１１６), 図１１８ (配列番号：１１８), 図１２０ (配列番号：１２０), 図１２２ (配列番号：１２２), 図１２４ (配列番号：１２４), 図１２６ (配列番号：１２６), 図１２８ (配列番号：１２８), 図１３０ (配列番号：１３０), 図１３２ (配列番号：１３２), 図１３４ (配列番号：１３４), 図１３６ (配列番号：１３６), 図１３８ (配列番号：１３８), 図１４０ (配列番号：１４０), 図１４２ (配列番号：１４２), 図１４４ (配列番号：１４４), 図１４６ (配列番号：１４６), 図１４８ (配列番号：１４８), 図１５０ (配列番号：１５０), 図１５２ (配列番号：１５２), 図１５４ (配列番号：１５４), 図１５６ (配列番号：１５６), 図１５８ (配列番号：１５８), 図１６０ (配列番号：１６０),又は 図１６２ (配列番号：１６２)中に示されるポリペプチドの細胞外ドメインをコードするヌクレオチド配列；
（ｄ）関連するシグナルペプチドを欠いており、図２ (配列番号：２), 図４ (配列番号：４), 図６ (配列番号：６), 図８ (配列番号：８), 図１０ (配列番号：１０), 図１２ (配列番号：１２), 図１４ (配列番号：１４), 図１６ (配列番号：１６), 図１８ (配列番号：１８), 図２０ (配列番号：２０), 図２２ (配列番号：２２), 図２４ (配列番号：２４), 図２６ (配列番号：２６), 図２８ (配列番号：２８), 図３０ (配列番号：３０), 図３２ (配列番号：３２), 図３４ (配列番号：３４), 図３６ (配列番号：３６), 図３８ (配列番号：３８), 図４０ (配列番号：４０), 図４２ (配列番号：４２), 図４４ (配列番号：４４), 図４６ (配列番号：４６), 図４８ (配列番号：４８), 図５０ (配列番号：５０), 図５２ (配列番号：５２), 図５４ (配列番号：５４), 図５６ (配列番号：５６), 図５８ (配列番号：５８), 図６０ (配列番号：６０), 図６２ (配列番号：６２), 図６４ (配列番号：６４), 図６６ (配列番号：６６), 図６８ (配列番号：６８), 図７０ (配列番号：７０), 図７２ (配列番号：７２), 図７４ (配列番号：７４), 図７６ (配列番号：７６), 図７８ (配列番号：７８), 図８０ (配列番号：８０),  図８２ (配列番号：８２), 図８４ (配列番号：８４), 図８６ (配列番号：８６), 図８８ (配列番号：８８), 図９０ (配列番号：９０), 図９２ (配列番号：９２), 図９４ (配列番号：９４), 図９６ (配列番号：９６), 図９８ (配列番号：９８), 図１００ (配列番号：１００), 図１０２ (配列番号：１０２), 図１０４ (配列番号：１０４), 図１０６ (配列番号：１０６), 図１０８ (配列番号：１０８), 図１１０ (配列番号：１１０), 図１１２ (配列番号：１１２), 図１１４ (配列番号：１１４), 図１１６ (配列番号：１１６), 図１１８ (配列番号：１１８), 図１２０ (配列番号：１２０), 図１２２ (配列番号：１２２), 図１２４ (配列番号：１２４), 図１２６ (配列番号：１２６), 図１２８ (配列番号：１２８), 図１３０ (配列番号：１３０), 図１３２ (配列番号：１３２), 図１３４ (配列番号：１３４), 図１３６ (配列番号：１３６), 図１３８ (配列番号：１３８), 図１４０ (配列番号：１４０), 図１４２ (配列番号：１４２), 図１４４ (配列番号：１４４), 図１４６ (配列番号：１４６), 図１４８ (配列番号：１４８), 図１５０ (配列番号：１５０), 図１５２ (配列番号：１５２), 図１５４ (配列番号：１５４), 図１５６ (配列番号：１５６), 図１５８ (配列番号：１５８), 図１６０ (配列番号：１６０),又は 図１６２ (配列番号：１６２)中に示されるポリペプチドの細胞外ドメインをコードするヌクレオチド配列；
（ｅ）図１ (配列番号：１), 図３ (配列番号：３), 図５ (配列番号：５), 図７ (配列番号：７), 図９ (配列番号：９), 図１１ (配列番号：１１), 図１３ (配列番号：１３), 図１５ (配列番号：１５), 図１７ (配列番号：１７), 図１９ (配列番号：１９), 図２１ (配列番号：２１), 図２３ (配列番号：２３), 図２５ (配列番号：２５), 図２７ (配列番号：２７), 図２９ (配列番号：２９), 図３１ (配列番号：３１), 図３３ (配列番号：３３), 図３５ (配列番号：３５), 図３７ (配列番号：３７), 図３９ (配列番号：３９), 図４１ (配列番号：４１), 図４３ (配列番号：４３), 図４５ (配列番号：４５), 図４７ (配列番号：４７), 図４９ (配列番号：４９), 図５１ (配列番号：５１), 図５３ (配列番号：５３), 図５５ (配列番号：５５), 図５７ (配列番号：５７), 図５９ (配列番号：５９), 図６１ (配列番号：６１), 図６３ (配列番号：６３), 図６５ (配列番号：６５), 図６７ (配列番号：６７), 図６９ (配列番号：６９), 図７１ (配列番号：７１), 図７３ (配列番号：７３), 図７５Ａ−７５Ｂ (配列番号：７５), 図７７ (配列番号：７７), 図７９ (配列番号：７９),  図８１ (配列番号：８１), 図８３ (配列番号：８３), 図８５ (配列番号：８５), 図８７ (配列番号：８７), 図８９ (配列番号：８９), 図９１ (配列番号：９１), 図９３ (配列番号：９３), 図９５ (配列番号：９５), 図９７ (配列番号：９７), 図９９ (配列番号：９９), 図１０１ (配列番号：１０１), 図１０３ (配列番号：１０３), 図１０５ (配列番号：１０５)中に示されるヌクレオチド配列；
（ｆ）図１ (配列番号：１), 図３ (配列番号：３), 図５ (配列番号：５), 図７ (配列番号：７), 図９ (配列番号：９), 図１１ (配列番号：１１), 図１３ (配列番号：１３), 図１５ (配列番号：１５), 図１７ (配列番号：１７), 図１９ (配列番号：１９), 図２１ (配列番号：２１), 図２３ (配列番号：２３), 図２５ (配列番号：２５), 図２７ (配列番号：２７), 図２９ (配列番号：２９), 図３１ (配列番号：３１), 図３３ (配列番号：３３), 図３５ (配列番号：３５), 図３７ (配列番号：３７), 図３９ (配列番号：３９), 図４１ (配列番号：４１), 図４３ (配列番号：４３), 図４５ (配列番号：４５), 図４７ (配列番号：４７), 図４９ (配列番号：４９), 図５１ (配列番号：５１), 図５３ (配列番号：５３), 図５５ (配列番号：５５), 図５７ (配列番号：５７), 図５９ (配列番号：５９), 図６１ (配列番号：６１), 図６３ (配列番号：６３), 図６５ (配列番号：６５), 図６７ (配列番号：６７), 図６９ (配列番号：６９), 図７１ (配列番号：７１), 図７３ (配列番号：７３), 図s ７５Ａ−７５Ｂ(配列番号：７５), 図７７ (配列番号：７７), 図７９ (配列番号：７９),  図８１ (配列番号：８１), 図８３ (配列番号：８３), 図８５ (配列番号：８５), 図８７ (配列番号：８７), 図８９ (配列番号：８９), 図９１ (配列番号：９１), 図９３ (配列番号：９３), 図９５ (配列番号：９５), 図９７ (配列番号：９７), 図９９ (配列番号：９９), 図１０１ (配列番号：１０１), 図１０３ (配列番号：１０３), 図１０５ (配列番号：１０５) , 図１０７ (配列番号：１０７), 図１０９ (配列番号：１０９), 図１１１ (配列番号：１１１), 図１１３ (配列番号：１１３), 図１１５ (配列番号：１１５), 図１１７ (配列番号：１１７), 図１１９ (配列番号：１１９), 図１２１ (配列番号：１２１), 図１２３ (配列番号：１２３), 図１２５ (配列番号：１２５), 図１２７ (配列番号：１２７), 図１２９ (配列番号：１２９), 図１３１ (配列番号：１３１), 図１３３ (配列番号：１３３), 図１３５ (配列番号：１３５), 図１３７ (配列番号：１３７), 図１３９ (配列番号：１３９), 図１４１ (配列番号：１４１), 図１４３ (配列番号：１４３), 図１４５ (配列番号：１４５), 図１４７ (配列番号：１４７), 図１４９ (配列番号：１４９), 図１５１ (配列番号：１５１), 図１５３ (配列番号：１５３), 図１５５ (配列番号：１５５), 図１５７ (配列番号：１５７), 図１５９ (配列番号：１５９), 図１６１ (配列番号：１６１)中に示されるヌクレオチド配列の完全長コード化配列；
（ｇ）表７に示すＡＴＣＣ登録番号のいずれかの下に登録されているか、又は表８に示す登録番号の下に利用可能なｃＤＮＡの完全長コード化配列；或いは
（ｈ）（ａ），（ｂ），（ｃ），（ｄ），（ｅ），（ｆ）又は（ｇ）の相補鎖
と少なくとも８０％の核酸配列同一性を有する単離された核酸。